【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
石油系油から長鎖炭素を得る方法であって、該方法が、
アルコールと塩基とを混合することであって、変換混合物を形成することと、
前記変換混合物を油に添加することであって、反応混合物を形成することと、
前記反応混合物を２００°Ｆ〜４００°Ｆの温度に少なくとも１時間加熱することと、
前記反応混合物を７０°Ｆ未満の温度まで冷却させることと、
高硝酸塩基化合物を前記反応混合物に添加することと、
前記反応混合物を、該反応混合物中の長鎖炭素が、該反応混合物中の中鎖炭素及び／又は短鎖炭素に対して実質的に平衡状態にあるか又は多くなる温度まで冷却させることと、
前記反応混合物中の長鎖炭素を前記中鎖炭素及び／又は短鎖炭素から分離することと、
を含む、方法。
【請求項２】
当該分離された長鎖炭素を前記反応混合物から抽出することを更に含む、請求項１に記載の方法。
【請求項３】
前記油が、石油系油、原油、使用済み油、使用済みモーターオイル、及び新しいモーターオイルからなる群の少なくとも１つである、請求項１に記載の方法。
【請求項４】
前記塩基が前記アルコールに完全に溶解するまで、前記変換混合物を形成する前記アルコールと前記塩基との前記混合を実施し、
前記変換混合物を形成する前記アルコールと前記塩基との前記混合が、
前記変換混合物の前記混合中に該変換混合物を加熱することと、
前記変換混合物を前記油に添加して前記反応混合物を形成する前に、該変換混合物を実質的に室温まで冷却させることと、
を更に含む、請求項１に記載の方法。
【請求項５】
前記変換混合物を前記油に添加して前記反応混合物を形成する前に、該変換混合物を濾過すること、
前記変換混合物を前記油に添加して前記反応混合物を形成する前に、前記油を濾過すること
を更に含み、
前記油の前記濾過が、３ミクロン以上の微粒子を除去する、請求項１に記載の方法。
【請求項６】
前記アルコールが、前記塩基を完全に溶解することができ、該塩基用のキャリアとしての役割を果たすのに適するアルコール、メタノール、エタノール、ｔ−ブタノール、イソプロパノール、ブタノール、及びベンゼンと混合させたアルコールからなる群の少なくとも１つであり、
前記塩基が、前記油の炭化水素鎖中の結合を弱め及び／又は切断するのに適し、前記油の酸性成分を相殺する塩基、ソーダ灰、炭酸ナトリウム、水酸化ナトリウム、重曹及び水酸化カリウムからなる群の少なくとも１つであり、
前記高硝酸塩基化合物が、炭化水素の再構築における使用に適する高い反応性を有する硝酸塩基化合物、硝酸エチルアンモニウム、硝酸アンモニウム、硝酸カリウム、硝酸ナトリウム、硝酸とメタノールとの組合せ、及びテトラニトラトキシカーボン（tetranitratoxycarbon）からなる群の少なくとも１つである、
請求項１に記載の方法。
【請求項７】
初期の前記反応混合物が、２０ｗｔ％〜８０ｗｔ％の前記油と、３５ｗｔ％〜６５ｗｔ％の前記変換混合物とを含む、請求項１に記載の方法。
【請求項８】
前記高硝酸塩基化合物を前記反応混合物に添加する前に、前記高硝酸塩基化合物をアルコールに添加することであって、アルコール／高硝酸塩基化合物の対を形成することを更に含み、
前記アルコール／高硝酸塩基化合物の対が、７０ｗｔ％〜８５ｗｔ％の高硝酸塩基化合物と、１５ｗｔ％〜３０ｗｔ％のアルコールであり、
前記アルコール／高硝酸塩基化合物の対が、エタノール及び硝酸アンモニウム、エタノール及び硝酸カリウム、並びにエタノール及び硝酸ナトリウムからなる群の少なくとも１つである、
請求項１に記載の方法。
【請求項９】
前記高硝酸塩基化合物を前記反応混合物に添加した後に、前記反応混合物を一定時間放置し、前記高硝酸塩基化合物と前記反応混合物との反応を完了させることを更に含み、
前記反応混合物を７０°Ｆ未満まで冷却させ、確実に前記高硝酸塩基化合物と前記反応混合物との前記反応が完了して長鎖炭素が生成する、請求項１に記載の方法。
【請求項１０】
前記反応混合物を、該反応混合物中の長鎖炭素が、該反応混合物中の前記中鎖炭素及び／又は短鎖炭素に対して実質的に平衡状態にあるか又は多くなる前記温度まで冷却させるプロセスが、前記高硝酸塩基化合物と前記反応混合物との前記反応が完了した後に前記反応混合物を５０°Ｆ〜７０°Ｆに冷却させて、長鎖炭素の生成を最適化することを更に含む、請求項１に記載の方法。
【請求項１１】
前記長鎖炭素が、標準的なジェット燃料よりも長い炭素鎖を有する分子である、請求項１に記載の方法。
【請求項１２】
前記長鎖炭素が、１８よりも長い炭素鎖を有する分子である、請求項１に記載の方法。
【請求項１３】
前記反応混合物中の長鎖炭素を前記中鎖炭素及び／又は短鎖炭素から分離する前記プロセスを、常圧蒸留、減圧蒸留、吸収処理、熱分解、及び触媒変換からなる分離プロセスの群の少なくとも１つによって実施する、請求項１に記載の方法。
【請求項１４】
前記方法の前記プロセスを、該方法に挙げたように順次実施する、請求項１に記載の方法。
【請求項１５】
油から長鎖炭素を得るシステムであって、
アルコールと塩基とを混合して、変換混合物を形成する手段と、
前記変換混合物を油に添加して、反応混合物を形成する手段と、
前記反応混合物を２００°Ｆ〜４００°Ｆの温度に１時間〜３時間加熱する手段と、
前記反応混合物を７０°Ｆ未満の温度まで冷却させる手段と、
高硝酸塩基化合物を前記反応混合物に添加する手段と、
前記反応混合物を、該反応混合物中の長鎖炭素が、該反応混合物中の中鎖炭素及び／又は短鎖炭素に対して実質的に平衡状態にあるか又は多くなる温度に冷却させる手段と、
前記反応混合物中の長鎖炭素を前記中鎖炭素及び／又は短鎖炭素から分離する手段と、
前記分離された長鎖炭素を前記反応混合物から抽出する手段と、
を含む、システム。
【手続補正２】
【補正対象書類名】明細書
【補正対象項目名】００２４
【補正方法】変更
【補正の内容】
【００２４】
プロセス１４０では、高硝酸塩基化合物を反応混合物に添加する。高硝酸塩基化合物は、高い反応性を有する任意の硝酸塩基化合物である。先のプロセスにおいて分解された炭化水素の再構築における使用に適するいずれの高硝酸塩基化合物も使用することができる。いくつかの実施形態では、高硝酸塩基化合物が、硝酸エチルアンモニウム、硝酸アンモニウム、硝酸カリウム、硝酸ナトリウム、硝酸とメタノールとの組合せ、若しくはテトラニトラトキシカーボン（tetranitratoxycarbon）、又はそれらの任意の組合せである。高硝酸塩基化合物を、反応混合物の入った容器に注ぎ入れるといった、高硝酸塩基化合物を反応混合物に添加するいずれの手法も使用することができる。高硝酸塩基化合物を反応混合物に添加したら、反応混合物を撹拌して、成分の全ての均質な混合を促してもよい。変換混合物と油とを混合するのに先に使用した混合機構の使用を含む、反応混合物を混合するいずれの好適な手法も使用することができる。
【手続補正３】
【補正対象書類名】明細書
【補正対象項目名】００６１
【補正方法】変更
【補正の内容】
【００６１】
プロセス３４０では、高硝酸塩基化合物を反応混合物に添加する。高硝酸塩基化合物は、高い反応性を有する任意の硝酸塩基化合物である。先のプロセスにおいて分解された炭化水素の再構築における使用に適するいずれの高硝酸塩基化合物も使用することができる。いくつかの実施形態では、高硝酸塩基化合物が、硝酸エチルアンモニウム、硝酸アンモニウム、硝酸カリウム、硝酸ナトリウム、硝酸とメタノールとの組合せ、若しくはテトラニトラトキシカーボン、又はそれらの任意の組合せである。硝酸エチルアンモニウムを用いて実施した試験では高い品質の結果が生じた。高硝酸塩基化合物を、反応混合物の入った容器に注ぎ入れるといった、高硝酸塩基化合物を反応混合物に添加するいずれの手法も使用することができる。高硝酸塩基化合物を反応混合物に添加したら、反応混合物を撹拌して、成分の全ての均質な混合を促してもよい。変換混合物と油とを混合するのに先に使用した混合機構の使用を含む、反応混合物を混合するいずれの好適な手法も使用することができる。